(57)【要約】      （修正有）【課題】レンズの組立て形態がよりフレキシブルであり、レンズチューブの内壁を消光処理しやすく、これにより、迷光を除去することに有利なレンズチューブを提供する。【解決手段】レンズモジュールは、レンズチューブ１を備え、前記レンズチューブ１は、組立てることで収容空間と光通過孔１Ｃを形成する少なくとも２つのケース１１と１２とを備え、前記ケース１１、１２は、外面、断面、斜面及び上面を備え、隣接する２つの前記ケース１１、１２の前記断面には、それぞれ、嵌合するボス及び凹溝が設けられ、隣接する２つの前記ケース１１、１２は、接着剤により貼り付けて固定される。【選択図】図１
2018097336.tif 000002
【特許請求の範囲】
【請求項１】
収容空間を有し、光軸を囲んで光通過孔を限定して形成するレンズチューブと、前記レンズチューブに収容されるレンズセットとを備えるレンズモジュールであって、前記レンズチューブは、組立てることで前記収容空間と前記光通過孔を形成する少なくとも２つのケースを備え、前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ、嵌合するボス及び凹溝が設けられ、隣接する２つの前記ケースは、接着剤により貼り付けて固定されることを特徴とするレンズモジュール。
【請求項２】
前記凹溝は、前記上面を貫通していないことを特徴とする請求項１に記載のレンズモジュール。
【請求項３】
２つの隣接する前記斜面は、接着剤塗布溝を形成し、前記接着剤塗布溝は、接着剤により貼り付けて固定されることを特徴とする請求項２に記載のレンズモジュール。
【請求項４】
前記ボスは、前記断面と平行して間隔を置いて設けられる端面と、前記端面と前記断面を接続し、且つ前記断面と前記端面に直交する側面とを備えることを特徴とする請求項３に記載のレンズモジュール。
【請求項５】
前記端面は、コース状に形成されることを特徴とする請求項４に記載のレンズモジュール。
【請求項６】
前記斜面は、平面又は曲面であることを特徴とする請求項３に記載のレンズモジュール。
【請求項７】
前記断面と、前記断面に設けられる前記ボスとは、一体型構造であることを特徴とする請求項２乃至６のいずれか一項に記載のレンズモジュール。
【請求項８】
前記断面と、前記断面に設けられる前記ボスとは、分体型構造であることを特徴とする請求項２乃至６のいずれか一項に記載のレンズモジュール。
【請求項９】
前記ケースは、２つが設けられ、且つ２つの前記ケースが連結する断面は、前記レンズチューブを対称する２つの部分に分割することを特徴とする請求項２乃至６のいずれか一項に記載のレンズモジュール。
【請求項１０】
前記凹溝は、前記上面を貫通することを特徴とする請求項１に記載のレンズモジュール。
【請求項１１】
２つの隣接する前記斜面は、接着剤塗布溝を形成し、前記接着剤塗布溝は、接着剤により貼り付けて固定されることを特徴とする請求項１０に記載のレンズモジュール。
【請求項１２】
前記ボスは、前記断面に平行して間隔を置いて設けられる端面と、前記端面と前記断面を接続し、且つ前記断面と前記端面に直交する側面と、前記側面から凹んで形成する、光軸に平行する位置制限溝とを備え、前記凹溝は、平行して間隔を置いて設けられ前記断面に直交する２つの側壁と、２つの前記側壁から突出して形成し前記光軸方向に沿って延伸する位置決め部とを備え、前記位置決め部は、前記位置制限溝に嵌合して設けられることを特徴とする請求項１１に記載のレンズモジュール。
【請求項１３】
前記位置決め部における前記光軸方向に沿うサイズは、前記ボスにおける前記光軸方向に沿うサイズ以上であることを特徴とする請求項１２に記載のレンズモジュール。
【請求項１４】
前記端面は、コース状に形成されることを特徴とする請求項１２に記載のレンズモジュール。
【請求項１５】
前記斜面は、平面又は曲面であることを特徴とする請求項１１に記載のレンズモジュール。
【請求項１６】
前記断面と、前記断面に設けられる前記ボスとは、一体型構造であることを特徴とする請求項１０乃至１５のいずれか一項に記載のレンズモジュール。
【請求項１７】
前記断面と、前記断面に設けられる前記ボスとは、分体型構造であることを特徴とする請求項１０乃至１５のいずれか一項に記載のレンズモジュール。
【請求項１８】
前記ケースは、２つが設けられ、且つ２つの前記ケースが連結する断面は、前記レンズチューブを対称する２つの部分に分割することを特徴とする請求項１０乃至１５のいずれか一項に記載のレンズモジュール。
【発明の詳細な説明】
【技術分野】
【０００１】
本発明はレンズモジュールに関し、具体的には、新型レンズチューブ構造を有するレンズモジュールに関する。
【背景技術】
【０００２】
科学技術の発展に伴って、電子設備は、絶えずにインテリジェント方向へ発展している。デジタルカメラの以外、タブレットＰＣ、携帯電話などの携帯型の電子設備にもレンズモジュールが配置されている。人々の使用の要求を満たすために、レンズモジュールにより撮影された物体の画像品質に対しても高く要求されている。しかしながら、撮影された物体の品質は、反射により発生される迷光と緊密な関係がある。
【０００３】
関連技術におけるレンズモジュールは、収容空間を有するレンズチューブと、前記収容空間に収容される結像ユニットを備える。前記結像ユニットは、複数のレンズを備える。関連技術におけるレンズモジュールは、組立てられる時に、押し込み方法で、レンズをレンズチューブに組み込んで、レンズチューブの金型構造が単一であるだけでなく、レンズの組立て型式も単一である。また、関連技術におけるレンズチューブは、内壁を消光処理することに不利であり、しかも、従来の一体型レンズチューブの型抜き方向が光軸に平行するため、型抜きする時に内壁を損傷しやすい。
【０００４】
そのため、新型レンズモジュールを提供する必要がある。
【発明の概要】
【発明が解決しようとする課題】
【０００５】
本発明は、レンズチューブの金型構造が多様であり、レンズの組立て形態がフレキシブルであり、レンズチューブの内壁を消光処理しやすいレンズモジュールを提供することを目的としている。
【課題を解決するための手段】
【０００６】
本願の技術案は、以下の通りである。
レンズモジュールであって、収容空間を有し、光軸を囲んで光通過孔を限定して形成するレンズチューブと、前記レンズチューブに収容されるレンズセットとを備え、前記レンズチューブは、組立てることで前記収容空間と前記光通過孔を形成する少なくとも２つのケースを備え、前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ、嵌合するボス及び凹溝が設けられ、隣接する２つの前記ケースは、接着剤により貼り付けて固定される。具体的には、以下の技術案を備える。
【０００７】
第１の技術案
レンズモジュールであって、収容空間と光通過孔を有するレンズチューブと、前記レンズチューブに収容されるレンズセットとを備え、前記レンズチューブは、組立てることで前記収容空間と前記光通過孔を形成する少なくとも２つのケースを備え、前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ、嵌合するボス及び凹溝が設けられ、前記凹溝が前記上面を貫通せず、２つの隣接する前記ケースは、接着剤により貼り付けて固定される。
【０００８】
第１の技術案において、
好ましくは、２つの隣接する前記斜面は、接着剤塗布溝を形成し、前記接着剤塗布溝は、接着剤により貼り付けて固定される。
好ましくは、前記ボスは、前記断面と平行して間隔を置いて設けられる端面と、前記端面と前記断面を接続し、且つ前記断面と前記端面に直交する側面とを備える。
好ましくは、前記端面は、コース状に形成される。
好ましくは、前記斜面は、平面又は曲面である。
好ましくは、前記断面と、前記断面に設けられる前記ボスとは、一体型構造である。
好ましくは、前記断面と、前記断面に設けられる前記ボスとは、分体型構造である。
好ましくは、前記ケースは、２つが設けられ、且つ２つの前記ケースが連結する断面は、前記レンズチューブを対称の２つの部分に分割する。
【０００９】
第２技術案
レンズモジュールであって、収容空間を有し、光軸を囲んで光通過孔を限定して形成するレンズチューブと、前記レンズチューブに収容されるレンズセットを備え、前記レンズチューブは、組立てることで前記収容空間と前記光通過孔を形成する少なくとも２つのケースを備え、前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ、嵌合するボス及び凹溝が設けられ、前記凹溝は、前記上面を貫通し、隣接する２つの前記ケースは、接着剤により貼り付けて固定される。
【００１０】
第２技術案において、
好ましくは、２つの隣接する前記斜面は、接着剤塗布溝を形成し、前記接着剤塗布溝は、接着剤により貼り付けて固定される。
好ましくは、前記ボスは、前記断面に平行して間隔を置いて設けられる端面と、前記端面と前記断面を接続し、且つ前記断面と前記端面に直交する側面と、前記側面から凹んで形成する、光軸に平行する位置制限溝とを備え、前記凹溝は、平行して間隔を置いて設けられ前記断面に直交する２つの側壁と、２つの前記側壁から突出して形成し前記光軸方向に沿って延伸する位置決め部とを備え、前記位置決め部は、前記位置制限溝に嵌合して設けられる。
好ましくは、前記位置決め部における前記光軸方向に沿うサイズは、前記ボスにおける前記光軸方向に沿うサイズ以上である。
好ましくは、前記端面は、コース状に形成される。
好ましくは、前記斜面は、平面又は曲面である。
好ましくは、前記断面と、前記断面に設けられる前記ボスとは、一体型構造である。
好ましくは、前記断面と、前記断面に設けられる前記ボスとは、分体型構造である。
好ましくは、前記ケースは、２つが設けられ、且つ２つの前記ケースが連結する断面は、前記レンズチューブを対称の２つの部分に分割する。
【００１１】
本発明に係る技術案は、以下の有益な効果を実現することができる。
関連技術に比べて、本発明に係るレンズモジュールは、以下の有益な効果を有する。レンズチューブは、少なくとも２つのケースから組み立てることで形成され、且つ前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ、嵌合するボス及び凹溝が設けられ、前記凹溝は、前記上面を貫通しない又は前記上面を貫通し、隣接する２つの前記ケースは、接着剤により貼り付けて固定される。上記のように設置されることにより、レンズチューブの金型構造が単一である問題を解決しただけでなく、レンズの組立て形態及び金型の設計がよりフレキシブルであり、レンズチューブの内壁を消光処理しやすい。そして、分体型構造の型抜き方向が光軸に直交するため、従来の一体型レンズチューブの型抜き方向が光軸に平行することによる型抜きする時の内壁損傷の問題を避けた。
【図面の簡単な説明】
【００１２】
【図１】本発明の第１の実施例に係るレンズモジュールの斜視図である。
【図２】図１に示すレンズモジュールの断面図である。
【図３】図１に示すレンズモジュールにおける第１のケースの構成を示す模式図である。
【図４】図１に示すレンズモジュールにおける第２のケースの構成を示す模式図である。
【図５】本発明の第２の実施例に係るレンズモジュールの平面図である。
【図６】図５に示すレンズモジュールの断面図である。
【図７】図５に示すレンズモジュールにおける第１のケースの構成を示す模式図である。
【図８】図５に示すレンズモジュールにおける第２のケースの構成を示す模式図である。
【発明を実施するための形態】
【００１３】
以下、本願の実施例の図面を参照しながら、本願の各実施例における技術案を明確に完全に説明する。当然ながら、説明した実施例は、本願の一部の実施例のみであり、すべての実施例ではない。当業者が本発明における実施例に基づき進歩性のある労働をしない前提で得られたすべての他の実施例は、いずれも本発明の保護範囲に属する。
【００１４】
第１の実施例
図１乃至図４に示すように、前記レンズモジュール１００は、収容空間１Ａを有し、光軸１Ｂを囲んで光通過孔１Ｃを限定して形成するレンズチューブ１と、前記レンズチューブ１に収容されるレンズセット３とを備える。
【００１５】
前記レンズチューブ１は、組立てることで前記収容空間１Ａと前記光通過孔１Ｃを形成する少なくとも２つのケースを備え、前記ケースは、物側から像側への方向に沿って延伸する外面と、隣接する前記ケースと連結する断面と、前記外面と前記断面を接続する斜面と、前記外面と前記断面とを接続して物側に近い上面とを備える。第１の実施例において、前記ケースは、２つであり、それぞれ第１のケース１１と第２のケース１２であり、前記第１のケース１１と前記第２のケース１２とが連結する断面は、前記レンズチューブ１を対称の２つの部分に分割している。ここで、前記第１のケース１１の外面、断面、斜面及び上面は、それぞれ、第１の外面１１１、第１の断面１１３、第１の斜面１１５及び第１の上面１１１１であり、前記第２のケース１２の外面、断面、斜面及び上面は、それぞれ、第２の外面１２１、第２の断面１２３、第２の斜面１２５及び第２の上面１２１１である。
【００１６】
前記第１の外面１１１と前記第２の外面１２１とは、何れも円弧面であり、前記第１の斜面１１５と前記第２の斜面１２５とは、何れも平面又は曲面であってもよく、且つ前記第１のケース１１と前記第２のケース１２とが組立てられた後に、前記第１の外面１１１と前記第２の外面１２１とは、前記レンズチューブ１の円柱外面を形成し、前記第１の斜面１１５と前記第２の斜面１２５とは、接着剤塗布溝１Ｄを形成する。前記第１のケース１１と前記第２のケース１２とは、接着剤により貼り付けて固定される。ここで、前記接着剤塗布溝１Ｄは、接着剤を塗布して前記第１のケース１１及び前記第２のケース１２を固定して接続することに用いられる。第１の実施例において、前記第１の斜面１１５と前記第２の斜面１２５とは、何れも平面である。また、断面、ボス及び凹溝に接着剤が塗布されることにより、隣接する２つのケースが固定されてもよい。
【００１７】
前記第１の断面１１３と前記第２の断面１２３には、それぞれ、嵌合するボス１１７と凹溝１１９が設けられ、前記凹溝１１９が前記第２の上面１２１１を貫通せず、前記ボス１１７と前記凹溝１１９は嵌合して前記第１のケース１１と前記第２のケース１２とを固定して接続することに用いられる。
【００１８】
組立時に、前記ボス１１７は、前記第１の断面１１３と前記第２の断面１２３に直交する方向に沿って前記凹溝１１９へ挿入する。図示した実施例において、前記第１の断面１１３には前記ボス１１７が設けられ、前記第２の断面１２３には前記凹溝１１９が設けられる。然しながら、本実施例では、前記ボス１１７と前記凹溝１１９の数量を具体的に限定しない。
【００１９】
前記ボス１１７と前記第１の断面１１３とは、分体型構造であってもよいが、一体型構造であってもよい。
【００２０】
前記ボス１１７は、前記第１の断面１１３に平行して間隔を置いて設けられる端面１１７１、及び前記端面１１７１と前記第１の断面１１３を接続し、且つ前記第１の断面１１３と前記端面１１７１に直交する側面１１７３を備える。好ましくは、前記端面１１７１は、コース状に形成される。
【００２１】
前記第１のケース１１と前記第２のケース１２とは、何れも物側から像側への方向に沿って延伸する第１の内面１３、及び前記第１の内面１３における物側に近い周縁から前記光軸１Ｂへ延伸する第２の内面１５を備え、前記第１の内面１３と前記第２の内面１５とは、何れも消光処理された内面である。
【００２２】
前記第１の内面１３は、複数の段階状分布の円弧面１３１を備え、物側に近い前記円弧面１３１の半径は、像側に近い前記円弧面１３１の半径より小さい。
【００２３】
前記第１のケース１１と前記第２のケース１２との対応する前記円弧面１３１は、組立てられ円柱面を形成する。
【００２４】
第１の実施例に係るレンズモジュールの有益な効果は、以下の通りである。レンズチューブは、少なくとも２つのケースから組み立てることで形成され、且つ前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ、嵌合するボス及び凹溝が設けられ、隣接する２つの前記ケースの前記斜面が組み立てられて接着剤塗布溝を形成し、組立時に、前記ボスは、前記断面に直交する方向に沿って前記凹溝へ挿入する。上記のように設置されることにより、レンズチューブの金型構造が単一である問題を解決しただけでなく、レンズの組立て形態及び金型の設計がよりフレキシブルであり、レンズチューブの内壁を消光処理しやすい。そして、分体型構造の型抜き方向が光軸に直交するため、従来の一体型レンズチューブの型抜き方向が光軸に平行することによる型抜きする時の内壁損傷の問題を避けた。
【００２５】
第２の実施例
図５及び図７に示すように、前記レンズモジュール１００は、収容空間１Ａを有し、光軸１Ｂを囲んで光通過孔１Ｃを限定して形成するレンズチューブ１と、前記レンズチューブ１に収容されるレンズセット３とを備える。
【００２６】
前記レンズチューブ１は、前記収容空間１Ａと前記光通過孔１Ｃとを組み立て形成する少なくとも２つのケースを備え、前記ケースは、物側から像側への方向に沿って延伸する外面と、隣接する前記ケースと連結する断面と、前記外面と前記断面を接続する斜面と、前記外面と前記断面とを接続して物側に近い上面とを備える。第２の実施例において、好ましくは、前記ケースは、２つが設けられ、それぞれ第１のケース１１と第２のケース１２であり、前記第１のケース１１と前記第２のケース１２とが連結する断面は、前記レンズチューブ１を対称の２つの部分に分割している。ここで、前記第１のケース１１の外面、断面、斜面及び上面は、それぞれ、第１の外面１１１、第１の断面１１３、第１の斜面１１４及び第１の上面１１５であり、前記第２のケース１２の外面、断面、斜面及び上面は、それぞれ、第２の外面１２１、第２の断面１２３、第２の斜面１２４及び第２の上面１２５である。
【００２７】
前記第１の外面１１１と前記第２の外面１２１とは、何れも円弧面でり、前記第１の斜面１１４と前記第２の斜面１２４とは、何れも平面又は曲面であってもよく、且つ前記第１のケース１１と前記第２のケース１２とが組立てられた後に、前記第１の外面１１１と前記第２の外面１２１とは、前記レンズチューブ１の円柱外面を形成し、前記第１の斜面１１４と前記第２の斜面１２４とは、接着剤塗布溝１Ｄを形成する。前記第１の上面１１５と前記第２の上面１２５とは、前記レンズチューブ１の環状上面を形成する。前記第１のケース１１と前記第２のケース１２とは、接着剤により貼り付けて固定される。ここで、前記接着剤塗布溝１Ｄは、接着剤を塗布して前記第１のケース１１及び前記第２のケース１２を固定して接続することに用いられる。第２の実施例において、前記第１の斜面１１４と前記第２の斜面１２４とは、何れも平面である。また、断面、ボス及び凹溝に接着剤が塗布されることにより、隣接する２つのケースが固定されてもよい。
【００２８】
前記第１の断面１１３と前記第２の断面１２３には、それぞれ、嵌合するボス１１７及び凹溝１１９が設けられる。図示する実施例において、前記第１の断面１１３には前記ボス１１７が設けられ、前記第２の断面１２３には前記凹溝１１９が設けられ、且つ前記凹溝１１９が前記第２の上面１２５を貫通し、組立時に、前記ボス１１７は、前記光軸１Ｂの方向に沿って前記凹溝１１９へ挿入する。
【００２９】
前記ボス１１７と前記凹溝１１９は嵌合して前記第１のケース１１と前記第２のケース１２を固定して接続することに用いられる。本実施例では、前記ボス１１７及び前記凹溝１１９の数量を具体的に限定しない。
【００３０】
前記ボス１１７と前記第１の断面１１３とは、分体型構造であってもよいが、一体型構造であってもよい。
【００３１】
前記ボス１１７は、前記第１の断面１１３に平行して間隔を置いて設置される端面１１７１と、前記端面１１７１と前記第１の断面１１３を接続し、且つ前記第１の断面１１３と前記端面１１７１に直交する側面１１７３と、前記側面１１７３から凹んで形成する、光軸１Ｂに平行する位置制限溝１１７５とを備える。好ましくは、前記端面１１７１は、コース状に形成される。
【００３２】
前記凹溝１１９は、平行して間隔を置いて設置され前記第２の断面１２３に直交する２つの側壁１１９１と、２つの前記側壁１１９１から突出して形成し前記光軸１Ｂの方向に沿って延伸する位置決め部１１９３とを備え、前記位置決め部１１９３が前記位置制限溝１１７５に嵌合して設けられ、前記位置決め部１１９３における前記光軸１Ｂ方向に沿うサイズは、前記ボス１１７における前記光軸１Ｂ方向に沿うサイズの以上である。本実施例において、前記位置決め部１１９３における前記光軸１Ｂ方向に沿うサイズは、前記ボス１１７における前記光軸１Ｂ方向に沿うサイズより大きい。
【００３３】
第２の実施例において、位置制限溝は、２つの前記側壁１１９１が凹んで形成されるように設置され、位置決め部は、前記側面１１７３から突出して形成するように設置されてもよい。しかし、ボス及び凹溝は、前記ボス１１７及び前記凹溝１１９の構造に限定されず、ボスを光軸方向に沿って凹溝に挿入することができる他のボス及び凹溝であってもよい。
【００３４】
前記第１のケース１１及び前記第２のケース１２は、何れも物側から像側への方向に沿って延伸する第１の内面１３と、前記第１の内面１３における物側に近い周縁から前記光軸１Ｂへ延伸する第２の内面１５を備え、前記第１の内面１３と前記第２の内面１５とは、何れも消光処理された内面である。
【００３５】
前記第１の内面１３は、複数の段階状分布の円弧面１３１を備え、物側に近い前記円弧面１３１の半径は、像側に近い前記円弧面１３１の半径より小さい。
【００３６】
前記第１のケース１１と前記第２のケース１２との対応する前記円弧面１３１は、組立てられ円柱面を形成する。
【００３７】
第２の実施例に係るレンズモジュールの有益な効果は、以下の通りである。レンズチューブは、少なくとも２つのケースから組み立てることで形成され、且つ前記ケースは、物側から像側への方向に沿って延伸する外面と、隣接する前記ケースと連結する断面と、前記外面と前記断面を接続する斜面と、前記外面と前記断面を接続して物側に近い上面とを備え、隣接する２つの前記ケースの前記断面には、それぞれ嵌合するボス及び凹溝が設けられ、前記凹溝は、対応して設けられている前記上面を貫通し、隣接する２つの前記ケースの前記斜面は、組み立てられて接着剤塗布溝を形成し、組立時に、前記ボスは、前記光軸方向に沿って前記凹溝へ挿入する。上記のように設置されることにより、レンズチューブの金型構造が単一である問題を解決しただけでなく、レンズの組立て形態及び金型の設計がよりフレキシブルであり、レンズチューブの内壁を消光処理しやすい。そして、分体型構造の型抜き方向が光軸に直交するため、従来の一体型レンズチューブの型抜き方向が光軸に平行することによる型抜きする時の内壁損傷の問題を避けた。
【００３８】
以上の実施例が本出願の実施形態のみであり、当業者にとっては、本発明の精神及び範囲を脱離しない前提で、変更することもでき、これらが本発明の保護範囲に属する。
【図１】
2018097336.tif 000003
【図２】
2018097336.tif 000004
【図３】
2018097336.tif 000005
【図４】
2018097336.tif 000006
【図５】
2018097336.tif 000007
【図６】
2018097336.tif 000008
【図７】
2018097336.tif 000009
【図８】
2018097336.tif 000010